(57)【要約】【課題】  ケーブルの配線抵抗やコネクタの接触抵抗があっても電源装置から正確な電圧供給や電流供給が可能であり、異なる２次電池を搭載する複数種類の電子回路装置に対しても電源装置の共通化を図れるようにする。【解決手段】  ２次電池（Ｅ２）を有する電子回路装置（５０）と、該電子回路装置に接続／取外し可能にされ接続時に前記２次電池の充電用の電源を供給する電源装置（１０）とを備えた充電システムにおいて、電子回路装置（５０）から充電制御用の検出信号を電源装置（１０）に送り、制御回路（１２）はこの検出信号に基づいてＳＷ電源回路１１の出力制御を行う構成とした。【選択図】        図１
2008061343.tif 000002
【特許請求の範囲】
【請求項１】
２次電池を有する電子回路装置と、該電子回路装置に接続／取外し可能にされ接続時に前記２次電池の充電用の電源を供給する電源装置と、を備えた充電システムにおいて、
前記電子回路装置から充電制御用の信号を前記電源装置に送り、該電源装置は前記充電制御用の信号に基づいて電源の出力制御を行うことを特徴とする充電システム。
【請求項２】
２次電池を有する電子回路装置と、該電子回路装置に接続／取外し可能にされ接続時に前記２次電池の充電用の電源を供給する電源装置と、を備えた充電システムにおいて、
前記電子回路装置には、
前記２次電池の充電状態を示す所定のパラメータを検出して第１検出信号を出力する充電側検出回路と、
前記電源装置と接続時に前記第１検出信号を電源装置に送る制御信号線と、
が設けられ、
前記電源装置には、
出力可変にされた電源回路と、
前記第１検出信号に基づき前記電源回路の出力制御を行う制御回路と、
が設けられていることを特徴とする充電システム。
【請求項３】
前記充電状態を示す所定のパラメータとは、充電電圧、充電電流、充電一次停止時の電池電圧、の何れか１つ又は複数である請求項２記載の充電システム。
【請求項４】
前記第１検出信号はアナログ信号であり、前記充電側検出回路は、前記パラメータの検出値に応じて前記第１検出信号を基準値から所定量変位させる構成であり、
前記制御回路は、前記第１検出信号が基準値のときに電源出力を大きくさせ、前記第１検出信号が基準値から一定量変位すると該変位量に応じて電源出力を小さくさせるように制御動作することを特徴とする請求項２又は３に記載の充電システム。
【請求項５】
前記電源装置には、
出力電圧および／又は出力電流を検出して第２検出信号を出力する電源側検出回路が設けられ、
前記制御回路は、前記第１検出信号の入力がない場合に、前記第２検出信号に基づき出力制御を行うように構成されていることを特徴とする請求項２〜４の何れかに記載の充電システム。
【請求項６】
前記制御回路は、前記第１および第２検出信号が基準値のときに電源出力を大きくさせ、前記第１または第２検出信号が基準値から一定量変位すると該変位量に応じて電源出力を小さくさせるように制御動作し、
前記電源側検出回路および前記充電側検出回路は、検出電圧が各々の設定電圧を超えると前記第１又は第２検出信号を基準値から変位させるように構成され、
前記電源側検出回路の設定電圧  ＞  前記充電側検出回路の設定電圧
に設定されていることを特徴とする請求項５記載の充電システム。
【請求項７】
前記制御回路は、前記第１および第２検出信号が基準値のときに電源出力を大きくさせ、前記第１または第２検出信号が基準値から一定量変位すると該変位量に応じて電源出力を小さくさせるように制御動作し、
前記電源側検出回路および前記充電側検出回路は、検出電流が各々の設定電流を超えると前記第１又は第２検出信号を基準値から変位させるように構成され、
前記電源側検出回路の設定電流  ＞  前記充電側検出回路の設定電流
に設定されていることを特徴とする請求項５又は６に記載の充電システム。
【請求項８】
前記電子回路装置には、
充電電圧を検出して各々値の異なる複数の設定電圧を基準にそれぞれ電圧検出信号を出力する複数の充電側電圧検出手段と、
前記複数の充電側電圧検出手段のうち何れかの電圧検出信号を選択的に切り替えて前記電源装置に送る第１切替手段と、が設けられ、
前記電源装置には、
出力電流を検出して各々値の異なる複数の設定電流を基準にそれぞれ電流検出信号を出力する複数の電源側電流検出手段と、
前記複数の電源側電流検出手段のうち何れかの電流検出信号を選択的に切り替える第２切替手段と、
供給電源の出力制御を行う制御回路と、が設けられ、
前記第１切替手段と前記第２切替手段により切り替えられた電圧検出信号と電流検出信号とが前記制御回路に送られて出力制御が行われることを特徴とする請求項１記載の充電システム。
【請求項９】
前記電源装置には、
出力電圧を検出する出力電圧検出手段が設けられ、
該出力電圧検出手段の検出結果に基づいて前記第２切替手段の選択切替が行われることを特徴とする請求項８記載の充電システム。
【請求項１０】
前記第２切替手段は、前記出力電圧が高いときには出力電流を小さくさせる電流検出信号に切り替え、前記出力電圧が低いときには出力電流を大きくさせる電流検出信号に切り替えることを特徴とする請求項９記載の充電システム。
【請求項１１】
前記電子回路装置には、
充電電圧を検出して第１の設定電圧を基準とした第１検出信号を出力する電圧検出手段と、
充電電流を検出して第１の設定電流を基準とした第２検出信号を出力する電流検出手段と、
前記第１検出信号と前記第２検出信号とを和算して前記電源装置側へ出力する和算回路とが設けられ、
前記電源装置には、
出力電圧を検出して第２の設定電圧を基準とした第３検出信号を出力する電圧検出手段と、
出力電流を検出して第２の設定電流を基準とした第４検出信号を出力する電流検出手段と、
供給電源の出力制御を行う制御回路とが設けられ、
前記制御回路は、前記電子回路装置から送られた検出信号の和算信号と前記第３検出信号および前記第４検出信号に基づいて出力制御を行うことを特徴とする請求項１記載の充電システム。
【請求項１２】
前記制御回路は、前記和算信号の入力が有るときには該和算信号に基づいて、該和算信号の入力が無いときには前記第３検出信号および前記第４検出信号に基づいて出力制御を行うことを特徴とする請求項１１記載の充電システム。
【請求項１３】
前記電源装置には、
前記和算信号の入力の有無を検出する信号検出手段と、
該信号検出手段が入力有りと検出したときに前記和算信号を、入力無しを検出したときに前記第３検出信号および前記第４検出信号を選択的に切り替えて前記制御回路に送る切替回路と、
が設けられていることを特徴とする請求項１２記載の充電システム。
【請求項１４】
前記第１の設定電圧  ＜  前記第２の設定電圧
前記第１の設定電流  ＜  前記第２の設定電流
に設定されていることを特徴とする請求項１２記載の充電システム。
【請求項１５】
前記電子回路装置は、
前記電源装置から前記２次電池への電流を遮断可能な保護用スイッチと、
該保護用スイッチより前記２次電池側の結節点の電圧を検出して第１検出信号を出力する第１電圧検出回路と、
前記保護用スイッチより前記電源装置側の電圧を検出して第２検出信号を出力する第２電圧検出回路と、
前記保護用スイッチがオン状態のときには前記第１検出信号を、オフ状態のときには前記第２検出信号を選択的に切り替えて電源装置へ送る切替回路と、
を備えていることを特徴とする請求項１記載の充電システム。
【請求項１６】
前記第２電圧検出回路は、出力電圧を前記２次電池の電池電圧より高い電圧に制御する検出信号を出力するように設定されていることを特徴とする請求項１５記載の充電システム。
【請求項１７】
前記電源装置に、
前記電子回路装置からの検出信号の入力に基づき計時を行う計時手段を備え、
該計時手段の計時結果に基づいて電源出力の状態を変化させることを特徴とする請求項１〜１６の何れかに記載の充電システム。
【請求項１８】
前記電源装置には、
前記２次電池の充電状態を表示する表示手段が設けられていることを特徴とする請求項１〜１７の何れかに記載の充電システム。
【請求項１９】
前記電子回路装置は、
前記２次電池の充電状態を検出する手段と、
該充電状態に応じた表示信号を出力する表示信号出力手段とを有し、
該表示信号出力手段が前記電子回路装置へ検出信号を出力する制御信号線を介して前記表示信号を送信可能に構成され、
前記電源装置は、
前記電子回路装置から検出信号が送られてくる制御信号線から表示信号を検出する表示信号検出回路を有し、
該表示信号検出回路により検出された表示信号に基づき前記表示手段を動作させることを特徴とする請求項１８記載の充電システム。
【請求項２０】
前記電子回路装置には、
前記２次電池の充電状態を表示する表示手段が設けられていることを特徴とする請求項１〜１７の何れかに記載の充電システム。
【請求項２１】
前記電源装置は、
出力電圧および出力電流の値から前記２次電池の充電量を算出する充電量算出手段と、
前記充電量算出手段により所定の充電量となったと算出された場合に出力電圧に所定の変化を与える手段と、
該充電量算出手段により所定の充電量になったと算出された場合に前記電子回路装置から検出信号が送られてくる制御信号線を介して表示信号を送信する表示信号送信手段と、
を有し、
前記電子回路装置は、
入力電圧の所定の変化に基づき充電動作を一次停止する手段と、
該一次停止中に前記表示信号を受信する表示信号受信手段とを有し、
受信した表示信号に基づき前記表示手段を動作させることを特徴とする請求項２０記載の充電システム。
【請求項２２】
前記電子回路装置には、
電源入力端子と２次電池との間に直列に接続されたスイッチ回路と、
前記電源装置へ出力する検出信号の検出を行う信号検出手段と、
電源入力端子の電圧を検出して再起動信号を生成する再起動手段とが設けられ、
前記信号検出手段により検出信号の大きさが所定値以下になった場合に前記スイッチ回路がオフに切り替わり、前記再起動手段から再起動信号が出力された場合に前記スイッチ回路がオンに切り替わるように構成されていることを特徴とする請求項１記載の充電システム。
【請求項２３】
前記電子回路装置には、
電源入力端子に並列に接続される複数の２次電池と、
電源入力端子と前記複数の２次電池との接続をそれぞれオン・オフする複数のスイッチ回路と、
前記複数の２次電池の充電状態を示す所定のパラメータをそれぞれ検出して各２次電池に応じた設定電圧を基準に検出信号をそれぞれ出力する複数の検出回路と、
前記複数の検出回路の検出信号の何れか１つを前記電源装置に選択的に出力する切替回路と、が設けられ、
前記複数の２次電池のうち何れか１つの２次電池が充電対象に選択された場合に該選択された２次電池に対応する前記スイッチ回路がオン状態にされ、該２次電池に対応する前記検出回路の検出信号が前記切替回路から出力されるように構成されていることを特徴とする請求項１記載の充電システム。
【請求項２４】
前記電子回路装置は、
前記複数の２次電池を着脱可能に保持する電池ホルダと、
前記電池ホルダでの各２次電池の装着／非装着をそれぞれ検出する検出機構とを備え、
前記検出機構の検出状態に応じて充電対象となる２次電池が切り替えられることを特徴とする請求項２３記載の充電システム。
【請求項２５】
前記複数の２次電池の各々について充電状態を管理するマイクロコンピュータを備え、
前記マイクロコンピュータは充電中の２次電池が満充電になった場合に充電対象を他の２次電池に切り替えることを特徴とする請求項２３記載の充電システム。
【請求項２６】
２次電池と、
該２次電池の充電状態を示す所定のパラメータを検出して入力電源の増減要求を表わす検出信号を出力する検出回路と、
前記２次電池へ充電用の電源を供給する電源入力端子および前記検出信号を外部の電源装置へ出力するための制御信号端子を含む複数の外部接続端子と、
を備えることを特徴とする電子回路装置。
【請求項２７】
出力可変にされた電源回路と、
該電源回路の出力制御を行う制御回路と、
前記電源回路から電源の出力を行う電源出力端子および充電制御用の信号を外部から入力する制御信号端子を含む複数の外部接続端子とを備え、
前記制御回路は、前記制御信号端子の信号に基づいて前記電源回路の出力制御を実行可能に構成されていることを特徴とする充電用電源装置。
【発明の詳細な説明】
【技術分野】
【０００１】
この発明は、２次電池を有する電子回路装置と２次電池に充電を行うための充電用電源装置、並びに、これらを組み合わせた充電システムに関する。
【背景技術】
【０００２】
例えば、携帯電話など２次電池を内蔵するセット機器では、ＡＣアダプタから充電用の電源供給を受けて２次電池の充電を行うのが通常である。ＡＣアダプタは内部で出力電圧や出力電流の検出を行って出力制御を行う。
【０００３】
ＡＣアダプタの電源供給は比較的に細いケーブルを介して行われるため、ケーブルの配線抵抗や接続コネクタの接触抵抗によって供給電圧は幾分低下する。そのため、ＡＣアダプタを用いた従来の充電システムでは、ＡＣアダプタの出力電圧を２次電池の満充電電圧より少し高い値に設定しておき、２次電池を内蔵するセット機器側でレギュレータ回路等により電圧制御を行って充電を行うのが一般的である。
【０００４】
また、２次電池の充電では、一定の電圧になるまでは定電流モードで充電を行うのが通常であるが、小型で携帯用途のセット機器では、この定電流モードの電流制御をＡＣアダプタ側で行うものが多い。電流制御用のトランジスタは比較的大きく、電流制御には大きな発熱が伴うため、電流制御をＡＣアダプタ側で行わせることでセット機器をより小型化できるという利点がある。
【０００５】
一方、２次電池はその種類や容量に応じて最適な充電電流が異なる。そのため、定電流モードの電流制御をＡＣアダプタ側で行わせるものでは、セット機器の種類ごとに２次電池の容量に合った定電流出力を行う専用のＡＣアダプタを用意する必要があった。
【発明の開示】
【発明が解決しようとする課題】
【０００６】
ケーブルの配線抵抗やコネクタの接触抵抗があってもＡＣアダプタから正確な電圧出力が可能となれば、セット機器側にレギュレータ回路を設けずに２次電池の充電を行えるという利点がある。しかしながら、リチウムイオン電池などの２次電池では、定電圧モードの充電電圧は規定の満充電電圧を超えないように正確に制御する必要がある。
【０００７】
また、現在、携帯電話などのセット機器ではＡＣアダプタを共通化して、異なるセット機器間でＡＣアダプタを使い回しできるようにしたいという要求がある。
【０００８】
一方、携帯電話などのセット機器では、高機能化や多様化により、搭載される２次電池も多種多様になることが想定される。例えば、テレビ視聴の可能なセット機器に対しては２次電池の容量を大きくしたり、急速充電の可能なものにする必要がある一方、付加的な機能を排した簡単機能のセット機器に対しては２次電池の容量をさほど大きくする必要性がない。
【０００９】
この発明の目的は、ケーブルの配線抵抗やコネクタの接触抵抗があっても電源装置から正確な電圧供給や電流供給が可能であり、電子回路装置側で電圧制御や電流制御を行うことなく２次電池の充電を行うことのできる充電システムを提供することにある。
【００１０】
また、この発明の他の目的は、電源装置側で定電流モードの電流制御を担わせる充電システムにおいて、異なる２次電池を搭載する複数種類の電子回路装置に対しても電源装置の共通化を図り、且つ、電源装置を共通化した場合でも、各２次電池に適した電流電圧での充電動作を実現することの出来る充電システムを提供することにある。
【課題を解決するための手段】
【００１１】
本発明は、上記目的を達成するため、２次電池を有する電子回路装置（５０：図１）と、該電子回路装置に接続／取外し可能にされ接続時に前記２次電池の充電用の電源を供給する電源装置（１０）と、を備えた充電システムにおいて、前記電子回路装置から充電制御用の信号を前記電源装置に送り、該電源装置は前記充電制御用の信号に基づいて電源の出力制御を行う構成とした。
【００１２】
具体的には、前記電子回路装置（５０）には、前記２次電池の充電状態を示す所定のパラメータを検出して第１検出信号を出力する充電側検出回路（５１）と、前記電源装置と接続時に前記第１検出信号を電源装置に送る制御信号線とが設けられ、前記電源装置には、出力可変にされた電源回路（１１）と、前記第１検出信号に基づき前記電源回路の出力制御を行う制御回路（１２）とを設けると良い。
【００１３】
このような充電システムによれば、充電状態を示す所定のパラメータを２次電池の近傍で検出するので、２次電池の状態に合った正確な充電電流や充電電圧の出力を電源装置から行わせることが出来る。従って、電子回路装置側にレギュレータ回路を設けなくても、２次電池に合った充電電流と充電電圧で充電を行わせることが出来る。
【００１４】
さらに、上記の充電システムによれば、異なる２次電池を搭載した複数種類の電子回路装置に対して電源装置の共通化を図った場合でも、電子回路装置側で検出した信号に基づき電源装置側で出力制御が行われるため、各々の２次電池に適した電流電圧の電源供給を電源装置に行わせることが出来る。
具体的には、上記の充電状態を示す所定のパラメータとは、充電電圧、充電電流、充電一次停止時の電池電圧の何れか１つ又は複数である。
【００１５】
また具体的には、前記第１検出信号はアナログ信号であり、前記充電側検出回路は、前記パラメータの検出値に応じて前記第１検出信号を基準値から所定量変位させる構成であり、前記制御回路は、前記第１検出信号が基準値のときには電源出力を大きくさせ、前記第１検出信号の基準値からの変位量に応じて電源出力を小さくさせるように構成すると良い。
【００１６】
このような構成によれば、従来の充電用回路とほぼ同様の構成により同様の充電制御を実現できる。また、検出信号が基準値からアナログ的に変位する信号なので、検出パラメータが複数あった場合でも、それらの各検出信号を和算して電源装置側に出力することで、複数のパラメータに応じた出力制御も実現できる。
【００１７】
望ましくは、前記電源装置（１０Ａ：図３）には、出力電圧および／又は出力電流を検出して第２検出信号を出力する電源側検出回路（１４）が設けられ、前記制御回路（１２）は、前記第１検出信号の入力がない場合に、前記第２検出信号に基づいて出力制御を行うように構成すると良い。
【００１８】
このような構成により、電源装置と電子回路装置との接続が取り外されたときに、検出信号が無くなって電源出力が異常に高くなったり不安定になってしまうのを回避できる。
【００１９】
具体的には、前記制御回路は、前記第１および第２検出信号が基準値のときに電源出力を大きくさせ、前記第１または第２検出信号が基準値から一定量変位すると該変位量に応じて電源出力を小さくさせるように制御動作し、前記電源側検出回路および前記充電側検出回路は、検出電圧が各々の設定電圧の近傍を超えると前記第１又は第２検出信号を基準値から変位させるように構成され、"前記電源側検出回路（１４）の設定電圧（Ｖ１：図３）＞前記充電側検出回路（５１）の設定電圧（Ｖ２）"のように設定すると良い。
【００２０】
さらに、前記電源側検出回路および前記充電側検出回路は、検出電流が各々の設定電流の近傍を超えると前記第１又は第２検出信号を基準値から変位させるように構成され、"前記電源側検出回路（１４）の設定電流（Ｉ１：図３）＞前記充電側検出回路（５１）の設定電流（Ｉ２）"に設定すると良い。
【００２１】
このような構成とすることで、電子回路装置から取り外されたことを検出する構成や、この検出に基づき検出信号を切り替える構成などを設けることなく、電源装置の接続時と取外し時の検出信号の切り替えを適宜自動的に行うことが出来る。すなわち、上記の検出回路の構成では、設定電圧や設定電流の値が小さい方が先に反応して検出信号を大きく変位させるため、電子回路装置が接続しているときには、電子回路装置側の検出信号が先に働き、電子回路装置が取り外されたときに初めて電源装置側の検出信号が働くというように、検出信号を適宜切り替えることが出来る。
【００２２】
また、本発明に係る充電システムは、前記電子回路装置（５０Ｂ：図４）に、充電電圧を検出して各々値の異なる複数の設定電圧を基準にそれぞれ電圧検出信号を出力する複数の充電側電圧検出手段（５１ａ，５１ｂ）と、前記複数の充電側電圧検出手段のうち何れかの電圧検出信号を選択的に切り替えて前記電源装置に送る第１切替手段（５３）とが設けられ、前記電源装置（１０Ｂ）には、出力電流を検出して各々値の異なる複数の設定電流を基準にそれぞれ電流検出信号を出力する複数の電源側電流検出手段（１５ａ，１５ｂ）と、前記複数の電源側電流検出手段のうち何れかの電流検出信号を選択的に切り替える第２切替手段（１７）と、供給電源の出力制御を行う制御回路（１２）とが設けられ、前記第１切替手段と前記第２切替手段により切り替えられた電圧検出信号と電流検出信号とが前記制御回路に送られて出力制御が行われるように構成しても良い。
【００２３】
また、この場合、前記電源装置（１０Ｂ）に、出力電圧を検出する出力電圧検出手段（１６）を設け、該出力電圧検出手段の検出結果に基づいて前記第２切替手段（１７）の選択切替が行われるようにすると良い。
【００２４】
また、前記第２切替手段（１７）は、前記出力電圧が高いときには出力電流を小さくさせる電流検出信号に切り替え、前記出力電圧が低いときには出力電流を大きくさせる電流検出信号に切り替えるように設定すると良い。
【００２５】
このような手段によれば、電子回路装置側で設定電圧の切り替えが行われることで、それに応じた最大電流の設定も自動で切り替えることが出来る。例えば、充電電圧が高いときには大きな電流が流れないようにしたり、充電電圧が中程度のときには大きな電流が流れるようにすることで、２次電池や充電回路に負担をかけることなく効率的な充電動作を実現することが出来る。
【００２６】
また、本発明に係る充電システムは、前記電子回路装置（５０Ｃ：図５）に、充電電圧を検出して第１の設定電圧（Ｖ２）を基準とした第１検出信号を出力する電圧検出手段（５１ｖ）と、充電電流を検出して第１の設定電流（Ｉ２）を基準とした第２検出信号を出力する電流検出手段（５１ｉ）と、前記第１検出信号と前記第２検出信号とを和算して前記電源装置側へ出力する和算回路（５４）とが設けられ、前記電源装置（１０Ｃ）には、出力電圧を検出して第２の設定電圧（Ｖ１）を基準とした第３検出信号を出力する電圧検出手段（１４ｖ）と、出力電流を検出して第２の設定電流（Ｉ１）を基準とした第４検出信号を出力する電流検出手段（１４ｉ）と、供給電源の出力制御を行う制御回路（１２）とが設けられ、前記制御回路は、前記電子回路装置から送られた検出信号の和算信号と前記第３検出信号および前記第４検出信号に基づいて出力制御を行うように構成しても良い。
【００２７】
また、この場合、前記制御回路は、前記和算信号の入力が有るときには該和算信号に基づいて、該和算信号の入力が無いときには前記第３検出信号および前記第４検出信号に基づいて出力制御を行うようにすると良い。
【００２８】
具体的には、前記電源装置に、前記和算信号の入力の有無を検出する信号検出手段（２０：図６）と、該信号検出手段が入力有りと検出したときに前記和算信号を、入力無しを検出したときに前記第３検出信号および前記第４検出信号を選択的に切り替えて前記制御回路に送る切替回路（２１）とを設けるようにしても良い。
或いは、"前記第１の設定電圧（Ｖ２）＜前記第２の設定電圧（Ｖ１）"、"前記第１の設定電流（Ｉ２）＜前記第２の設定電流（Ｉ１）"、のように設定しても良い。
【００２９】
このような手段によれば、適宜、２次電池に応じた最適な充電電流や充電電圧を供給することが出来るとともに、電源装置の出力端子が非対応の電子機器に接続されたり、ショートされたりした場合でも、電圧や電流が適宜制限されるようにすることが出来る。また、設定電圧や設定電流を上記のような大小関係で設定することで、検出信号の切替制御を行うことなく上記の制御を実現することが出来る。
【００３０】
また、本発明に係る充電システムは、前記電子回路装置（５０Ｄ：図７）が、前記電源装置から前記２次電池への電流を遮断可能な保護用スイッチ（ＳＷ１）と、該保護用スイッチより前記２次電池側の結節点の電圧を検出して第１検出信号を出力する第１電圧検出回路（５１ｆ）と、前記保護用スイッチより前記電源装置側の電圧を検出して第２検出信号を出力する第２電圧検出回路（５１ｅ：図７、又は５１ｇ：図１０）と、前記保護用スイッチがオン状態のときには前記第１検出信号を、オフ状態のときには前記第２検出信号を選択的に切り替えて電源装置へ送る切替回路（５８）とを備えた構成としても良い。
【００３１】
また、前記第２電圧検出回路（５１ｇ：図１０）は、出力電圧を前記２次電池（Ｅ２）の電池電圧（Ｖｒｅｆ）より高い電圧に制御する検出信号を出力するように設定すると良い。
【００３２】
このような手段によれば、保護用スイッチの電圧降下の影響を排した正確な充電電圧の検出と制御が可能となるとともに、保護用スイッチが働いて第１検出信号が無くなったときには第２検出信号が出力されて電源装置の出力を安定させることが出来る。すなわち、第２検出信号により電源装置の出力電圧が異常に高くなることが回避される。
【００３３】
また、上記のように第２の設定電圧の値を選定することで、保護用スイッチがオフしたときに、電源入力端子には電池電圧より高い電圧が入力されることとなり、２次電池からの電流の逆流を防止することが出来る。
【００３４】
また好ましくは、前記電源装置（１０Ｆ：図１２）が、前記電子回路装置からの検出信号の入力に基づき計時を行う計時手段（２７）を備え、該計時手段の計時結果に基づいて電源出力の状態を変化させるように構成すると良い。
【００３５】
このような構成により、充電時間が想定される時間よりも異常に長くなった場合に、電源供給を停止させるなど、タイマー保護機能を付加することが出来る。
【００３６】
さらに好ましくは、前記電源装置（１０Ｇ：図１４）に、前記２次電池の充電状態を表示する表示手段（３１）を設けると良い。具体的には、電子回路装置（５０Ｇ）には、前記２次電池の充電状態を検出する手段（５１ｈ，６１）と、該充電状態に応じた表示信号を出力する表示信号出力手段（６２）とを設けて、該表示信号出力手段が前記電子回路装置へ検出信号を出力する制御信号線を介して前記表示信号を送信可能なように構成し、前記電源装置（１０Ｇ）は、前記電子回路装置から検出信号が送られてくる制御信号線から表示信号を検出する表示信号検出回路（３３）を有し、該表示信号検出回路により検出された表示信号に基づき前記表示手段（３１）を動作させるように構成すると良い。
【００３７】
このような構成により、例えば、充電率に応じた表示や充電完了などを通知する表示を行うことが出来る。表示信号は、例えば、デジタル信号としたり、所定周波数で変調した変調信号とすることが出来る。
【００３８】
また、好ましくは、前記電子回路装置（５０Ｈ：図１７）に、前記２次電池の充電状態を表示する表示手段（６３）を設けても良い。具体的には、電源装置（１０Ｈ）には、出力電圧および出力電流の値から前記２次電池の充電量を算出する充電量算出手段（３８）と、前記充電量算出手段により所定の充電量となったと算出された場合に出力電圧に所定の変化を与える手段（４０〜４３）と、該充電量算出手段により所定の充電量になったと算出された場合に前記電子回路装置から検出信号が送られてくる制御信号線を介して表示信号を送信する表示信号送信手段（３９）とを有し、前記電子回路装置（５０Ｈ）は、入力電圧の所定の変化に基づき充電動作を一次停止する手段（６５〜６７）と、該一次停止中に前記表示信号を受信する表示信号受信手段（６４）とを有し、受信した表示信号に基づき前記表示手段（６３）を動作させるように構成すると良い。
【００３９】
このような構成により、例えば、電子回路装置側の表示手段により、充電率に応じた表示や充電完了を通知する表示を行うことが出来る。また、このような構成は、小型化や低廉化を図る上で電子回路装置にマイクロコンピュータなどを搭載することが出来ず、電子回路装置側で充電状態の検出や表示制御が行えないような場合でも、電子回路装置側で充電状態の表示を行うことが出来るという効果がある。
【００４０】
また好ましくは、前記電子回路装置（５０Ｉ：図１９）には、電源入力端子と２次電池との間に直列に接続されたスイッチ回路（ＳＷ３）と、前記電源装置へ出力する検出信号の検出を行う信号検出手段（７０）と、電源入力端子の電圧を検出して再起動信号を生成する再起動手段（７１，７４）とが設けられ、前記信号検出手段（７０）により検出信号の大きさが所定値以下になった場合にスイッチ回路（ＳＷ３）がオフに切り替わり、前記再起動手段（７４）から再起動信号が出力された場合にスイッチ回路（ＳＷ３）がオンに切り替わるように構成すると良い。
【００４１】
このような構成により、例えば、電源装置がコンセントから外されたり、何らかの不具合で電源装置からの電源供給が停止されたときでも、スイッチ回路をオフさせて２次電池から電源装置へ電流が逆流することを防止することが出来る。また、接続を再度しなおすことで、再起動して充電を再度行わせることも出来る。
【００４２】
また好ましくは、前記電子回路装置（５０Ｊ：図２０）には、電源入力端子に並列に接続される複数の２次電池（Ｅ２Ａ，Ｅ２Ｂ）と、電源入力端子と前記複数の２次電池との接続をそれぞれオン・オフする複数のスイッチ回路（７７Ａ，７７Ｂ）と、前記複数の２次電池の充電状態を示す所定パラメータをそれぞれ検出して各２次電池に応じた設定電圧を基準に検出信号をそれぞれ出力する複数の検出回路（５１Ａ，５１Ｂ）と、前記複数の検出回路の検出信号の何れか１つを前記電源装置に選択的に出力する切替回路（７９）とが設けられ、前記複数の２次電池のうち何れか１つの２次電池が充電対象に選択された場合に該選択された２次電池に対応する前記スイッチ回路がオン状態にされ、該２次電池に対応する前記検出回路の検出信号が前記切替回路（７９）から出力されるように構成しても良い。
【００４３】
このような構成とすることで、複数の２次電池を搭載した電子回路装置であっても、各々の２次電池に充電することが出来る。
【００４４】
また具体的には、前記電子回路装置（５０Ｊ）は、前記複数の２次電池を着脱可能に保持する電池ホルダと、前記電池ホルダでの各２次電池の装着／非装着をそれぞれ検出する検出機構（８１）とを備え、前記検出機構の検出状態に応じて充電対象となる２次電池が切り替えられるように構成すると良い。
【００４５】
また具体的には、前記電子回路装置（５０Ｊ）は、前記複数の２次電池の各々について充電状態を管理するマイクロコンピュータ（８２）を備え、前記マイクロコンピュータは充電中の２次電池が満充電になった場合に充電対象を他の２次電池に切り替えるように構成しても良い。
【００４６】
このような構成により、複数の２次電池の中から充電対象とする２次電池の選択を適宜切り替えることが出来る。
【００４７】
なお、この項目の説明において、実施形態との対応関係を示す符号を括弧書きで記したが、本発明はこれに限定されるものではない。
【発明の効果】
【００４８】
以上説明したように、本発明に従うと、ＡＣアダプタなどの電源装置に電子回路装置を接続して２次電池の充電を行う充電システムにおいて、電源装置のケーブルの配線抵抗や接続コネクタの接触抵抗があっても、２次電池の充電状態に応じた正確な電圧や電流の供給がなされ、電子回路装置側にレギュレータ回路を設けることなく２次電池の充電を行うことが出来るという効果がある。
【００４９】
また、異なる２次電池を搭載した複数種類の電子回路装置に対しても電源装置の共通化を図った場合でも、各々の２次電池に適した電流電圧の供給を実現できるという効果がある。
【発明を実施するための最良の形態】
【００５０】
以下、本発明の実施の形態を図面に基づいて説明する。
［第１の実施の形態］
図１は、本発明の第１実施形態の充電システムの基本構成を示したブロック図である。
この実施形態の充電システムは、２次電池を搭載して２次電池の電力で動作する電子回路装置としてのセット機器５０と、該セット機器に接続／取外し可能にされ２次電池の充電用の電源供給を行う充電用電源装置としてのＡＣアダプタ１０とを備えたものである。
【００５１】
ＡＣアダプタ１０とセット機器５０とは、少なくとも３端子のコネクタを介して接続が可能にされている。コネクタの３端子のうち２端子はＡＣアダプタ１０からセット機器５０へ電源電圧を入力する電源端子Ｔ０，Ｔ１、１端子はセット機器５０からＡＣアダプタ１０へ充電制御用の信号を出力するための制御信号端子Ｔ２である。
【００５２】
ＡＣアダプタ１０は、図１に示すように、交流電源を入力してトランジスタのスイッチング動作により制御された電流出力を行うＳＷ電源回路１１と、このＳＷ電源回路１１のスイッチング動作の周波数やオン期間を変化させて出力制御を行う制御回路１２と、セット機器５０から送られる充電制御用の信号を受信する信号受信回路１３とを備えている。
【００５３】
セット機器５０は、セット機器５０としての機能動作を行う機能回路等（図示略）に加えて、２次電池Ｅ２と、充電電流や充電電圧を検出する充電検出回路５１と、検出信号を送信用に増幅する例えば電圧ホロワなどの信号発信回路５２等を備えている。
【００５４】
２次電池Ｅ２は、電源端子Ｔ０，Ｔ１からの電源線に接続され、ＡＣアダプタ１０からの電源電圧が直接的に入力されるようになっている。その間の電源ラインには、シリーズレギュレータやスイッチングレギュレータなど電流や電圧を調整する回路は設けられてなく、あっても電流入力をオン・オフするスイッチ回路や電流検出用の抵抗器が設けられるだけである。
【００５５】
図２には、充電検出回路の出力特性グラフを示す。
充電検出回路５１には、例えば、充電電圧の検出回路と、充電電流の検出回路とが含まれている。このうち充電電圧の検出回路は、充電電圧を抵抗分割して得た分割電圧を基準電圧と比較し、その電圧差を誤差アンプで増幅した検出信号を出力するものである。この誤差アンプは、分割電圧が基準電圧より小さいときには出力電圧を基準値（例えば電圧値ゼロ）に保ち、分割電圧が基準電圧と同等や高くなると出力電圧を高くするように動作する。
【００５６】
これにより、充電電圧の検出回路から出力される検出信号は、図２（ａ）に示すように、検出電圧Ｖが設定電圧Ｖｓの近傍になるまでは基準値（例えば電圧値ゼロ）のまま変化せず、充電電圧Ｖが設定電圧Ｖｓの近傍になると検出信号の電圧値を上昇させ、設定電圧Ｖｓを上回ればその分検出信号の電圧値を上昇させるようになっている。
【００５７】
上記の設定電圧Ｖｓは、分割抵抗の抵抗値を適宜選定することにより、任意の値に設定可能なものであり、この実施形態では、上記の設定電圧Ｖｓは２次電池Ｅ２の満充電電圧に設定されている。
【００５８】
また、充電電流の検出回路も同様に、充電電流により抵抗器の両端に発生した変換電圧を基準電圧と比較して、その電圧差を誤差アンプで増幅した検出信号を出力するものである。この誤差アンプは、変換電圧が基準電圧より小さいときには出力電圧を基準値（例えば電圧値ゼロ）に保ち、変換電圧が基準電圧と同等や高くなると出力電圧を高くするように動作する。
【００５９】
これにより、充電電流の検出回路から出力される検出信号は、図２（ｂ）に示すように、検出電流Ｉが設定電流Ｉｓの近傍になるまでは基準値（例えば電圧値ゼロ）のまま変化せず、充電電流Ｉが設定電流Ｉｓの近傍になると検出信号の電圧値を上昇させ、設定電流Ｉｓを上回ればその分検出信号の電圧値を上昇させるようになっている。
【００６０】
上記の設定電流Ｉｓは、電流電圧変換用の抵抗器の値を適宜選定することにより、任意の値に設定可能なものであり、この実施形態では、上記の設定電流Ｉｓは２次電池Ｅ２の容量に応じた電流値に設定されている。
【００６１】
そして、これら充電電圧の検出回路の出力と充電電流の検出回路の出力とが和算されて信号発信回路５２に出力されるようになっている。従って、充電検出回路５１から出力される検出信号は、図２（ａ），（ｂ）に示すように、充電電圧Ｖ或いは充電電流Ｉが各検出回路の設定電圧Ｖｓや設定電流Ｉｓの近傍になるまでは基準値のまま変化せず、充電電圧Ｖ或いは充電電流Ｉの何れかが設定電圧Ｖｓや設定電流Ｉｓの近傍になると検出信号の電圧値を上昇させ、設定電圧Ｖｓや設定電流Ｉｓを上回れば検出信号の電圧値もその分上昇するようになっている。
【００６２】
ＡＣアダプタ１０の制御回路１２は、入力される検出信号が所定電圧より大きくなると、その大きい分だけ、ＳＷ電源回路１１のスイッチング素子のスイッチング周波数を長くしたり、オン期間を短くしたり制御して、ＳＷ電源回路１１の出力電流を低減させる。
【００６３】
従って、このような制御動作により、ＡＣアダプタ１０から２次電池Ｅ２に応じた電源出力がなされて、２次電池Ｅ２に適した充電電圧や充電電流で充電が行われることとなる。例えば、２次電池Ｅ２の充電率が低いときには、充電電圧が低いため、先ず、充電電流が設定値に達して充電検出回路５１の出力が上昇し、それにより電源出力が抑えられて充電電流が一定値に維持される。これにより２次電池Ｅ２の定電流モードの充電が行われる。さらに、充電率が高くなると、充電電圧が高くなって設定値に達し、それにより充電検出回路５１の出力が上昇する。そして、この検出信号の帰還により電源出力が抑えられて充電電圧が一定値に維持され、これにより２次電池Ｅ２の定電圧モードの充電が行われる。
【００６４】
以上のように、この実施の形態の充電システムによれば、セット機器５０側で電圧や電流の検出を行って、その検出信号でＡＣアダプタ１０の出力制御を行う構成なので、充電検出回路５１の設定値に応じた電源供給がＡＣアダプタ１０からなされる。したがって、セット機器５０側でレギュレータ回路を設けることなく、適切な２次電池Ｅ２の充電を行うことが出来る。また、複数種類のセット機器５０に対して１種類のＡＣアダプタ１０で対応させることができ、２次電池の容量が異なってもそれぞれに応じた電流値で充電を行うことが出来る。
【００６５】
なお、上記の実施形態では、セット機器５０側で充電電圧と充電電流の両方の検出を行い、この検出信号をＡＣアダプタ１０側に帰還させているが、例えば、充電電圧の検出のみを行ってその検出信号を帰還させ、充電電流の検出はＡＣアダプタ１０側で行うようにしても良い。また、セット機器５０からＡＣアダプタ１０側に送る信号も、上記のような検出信号に限られず、電源出力の増減要求が示される信号であれば種々のパターンの信号を適用できる。また、タイマー等で充電を一次停止させて電池電圧を検出してその検出信号を用いて充電制御するパターンにも適用可能である。
【００６６】
［第２の実施の形態］
図３は、第２実施形態の充電システムの基本構成を示すブロック図である。
第２実施形態の充電システムは、第１実施形態の構成に加えて、ＡＣアダプタ１０Ａ側にも出力電圧や出力電流の検出回路１４を設け、セット機器５０からＡＣアダプタ１０Ａが取り外されたときに、ＡＣアダプタ１０Ａ側の検出信号を用いてＳＷ電源回路１１の制御が行われるようにしたものである。
【００６７】
検出回路１４は、充電検出回路５１と同様に、検出電圧或いは検出電流が設定値より低いときには出力を基準値に保ち、設定値の近傍やそれを超えると出力を上昇させるものである。
【００６８】
ここで、検出回路１４の設定電圧Ｖ１や設定電流Ｉ１は、セット機器５０の充電検出回路５１の設定電圧Ｖ２や設定電流Ｉ２と比較して、"Ｉ１＞Ｉ２"，"Ｖ１＞Ｖ２"に設定されている。 
【００６９】
このような充電システムによれば、セット機器５０とＡＣアダプタ１０Ａが接続されている状態では、ＡＣアダプタ１０Ａの出力は、充電検出回路５１の検出信号により制限されて、その出力電圧や出力電流は、検出回路１４の設定電圧Ｖ１や設定電流Ｉ１より低くなる。従って、この状態では、検出回路１４の出力は基準値から上昇せず、出力制御に影響を与えない。
【００７０】
一方、セット機器５０からＡＣアダプタ１０Ａが取り外されたときには、セット機器５０からの検出信号の入力は無くなるので、ＡＣアダプタ１０Ａの出力が増加する。そして、検出回路１４の設定電圧Ｖ１或いは設定電流Ｉ１を超えて、検出回路１４の出力が上昇し電源出力が抑えられる。
【００７１】
従って、セット機器５０から取り外されてセット機器５０からの検出信号の入力が断たれたときでも、ＡＣアダプタ１０Ａの出力が異常上昇するのを防止できるという効果が得られる。
【００７２】
［第３の実施の形態］
図４は、第３実施形態の充電システムの構成を示すブロック図である。
第３実施形態の充電システムは、セット機器５０ＢからＡＣアダプタ１０Ｂに出力制御用の検出信号を帰還させる構成等は、第１実施形態と同様であるが、セット機器５０Ｂ側の検出回路を２つの電圧検出回路５１ａ，５１ｂとし、これらに対応させてＡＣアダプタ１０Ｂ側に２つの電流検出回路１５ａ，１５ｂを設け、これら２組の検出回路を切り替えて使用するようにしたものである。
【００７３】
電圧検出回路５１ａ，５１ｂは、例えば設定電圧を"Ｖ１＝３Ｖ"、"Ｖ２＝４．２Ｖ"など異なる電圧値に設定されている。また、これに対応する電流検出回路１５ａ，１５ｂも、設定電流を"Ｉ１＝１Ａ"、"Ｉ２＝０．５Ａ"などと異なる電流値に設定されている。
【００７４】
また、セット機器５０Ｂには、２つの電圧検出回路５１ａ，５１ｂの検出信号の何れかを選択的に切り替えて出力する切替回路５３が設けられている。切替回路５３による信号の選択は、例えば、セット機器５０Ｂのマイクロコンピュータ（図示略）等により種々の条件で切り替えるようにする。具体的には、２次電池Ｅ２の電池電圧を検出してその値により切り替えたり、セットされた２次電池の種類をマイクロコンピュータが認識してそれに応じて切り替えるようにしたり、ユーザの操作入力に応じて切り替えるようにしても良い。
【００７５】
一方、ＡＣアダプタ１０Ｂには、２つの電流検出回路１５ａ，１５ｂが、セット機器５０Ｂの電圧検出回路５１ａ，５１ｂの切り替えと対応して切り替るように、出力電圧を検出する電圧検出回路１６と、この検出電圧に応じて電流検出回路１５ａ，１５ｂの出力を選択的に切り替えて制御回路１２に出力する切替回路１７とが設けられている。
【００７６】
このような構成の充電システムによれば、ＡＣアダプタ１０Ｂで出力電圧を検出することで、セット機器５０Ｂで何れの電圧検出回路５１ａ又は５１ｂが選択されて動作しているのかを検出し、それに応じて電流検出回路１５ａ，１５ｂの検出信号が切り替えられる。それにより、例えば、設定電圧３Ｖの電圧検出回路５１ａが選択されているときには、設定電流１Ａの電流検出回路１５ａが選択され、それにより３Ｖと１Ａを制限とした充電出力制御が行われる。また、設定電圧４．２Ｖの電圧検出回路５１ｂが選択されているときには、設定電流０．５Ａの電流検出回路１５ｂが選択され、それにより４．２Ｖと０．５Ａを制限とした充電出力制御が行われる。
【００７７】
このような制御により、セット機器５０Ｂ側の切り替えに応じてＡＣアダプタ１０Ｂ側の制御の切り替えを連動させることができ、例えば、電池電圧が低めのときに急速充電を行わせ、電池電圧が高くなったら通常の充電量に変更するなど、２次電池Ｅ２や充電回路の負担を抑えるというような充電動作も実現することが出来る。
【００７８】
なお、上記実施形態では、電圧検出手段や電流検出手段の数を２組としたが、もっと多くしても良い。例えば、設定電圧２．５Ｖの電圧検出手段と、設定電流０．１Ｃ（１Ｃは、２次電池の全容量を１時間で放電させる電流値を表わす）の電流検出手段を追加すれば、電池電圧が非常に低い場合にプリ充電を行わせるような出力特性も実現できる。
【００７９】
［第４の実施の形態］
図５は、第４実施形態の充電システムの構成を示すブロック図である。
第４実施形態の充電システムは、第２実施形態の充電システムとほぼ同様の構成について、セット機器５０Ｃ側から送られてくる検出信号と、ＡＣアダプタ１０Ｃ側で検出した検出信号とを制御回路１２に入力する構成を具体的に示したものである。
【００８０】
セット機器５０Ｃ側の電圧検出回路５１ｖと電流検出回路５１ｉは、ともに検出値が設定電圧や設定電流の近傍やそれを超えたら検出信号を基準値から変位させるものである。従って、第２実施形態の説明にて述べたように、これらの検出信号を和算回路５４で和算してＡＣアダプタ１０Ｃ側へ出力することで、両者の検出に基づく出力制御を行うことが出来る。
【００８１】
同様に、ＡＣアダプタ１０Ｃ側の電圧検出回路１４ｖと電流検出回路１４ｉも、同様の構成であるため、これらの検出信号を和算回路１８で和算して制御回路１２へ出力することで、これらの検出に基づく出力制御を行うことが出来る。
【００８２】
また、これらセット機器５０Ｃからの検出信号の和算信号と、ＡＣアダプタ１０Ｃの和算信号とを、さらに、和算回路１９で和算して制御回路１２へ出力することで、各検出回路１４ｖ，１４ｉ，５１ｖ，５１ｉのうち何れかの出力が先に基準値より変位した場合に、それに基づく出力制御が行われる。それゆえ、これら検出回路１４ｖ，１４ｉ，５１ｖ，５１ｉの設定電圧や設定電圧を適宜選定しておくことで、セット機器５０ＣとＡＣアダプタ１０Ｃとが接続されているときには、セット機器５０Ｃ側の検出回路５１ｖ，５１ｉに基づく出力制御が行われ、セット機器５０Ｃが外されたときにはＡＣアダプタ１０Ｃ側の検出回路１４ｖ，１４ｉに基づく出力制御が行われるようにすることが出来る。
【００８３】
すなわち、設定電圧Ｖ１（検出回路１４ｖ）＞設定電圧Ｖ２（検出回路５１ｖ）とし、設定電流Ｉ１（検出回路１４ｉ）＞設定電流Ｉ２（検出回路５１ｉ）としておくことで、上記のような出力制御が実現される。第２実施形態で説明した通りである。
【００８４】
図６には、検出信号を制御回路へ出力するその他の構成例を示すブロック図を示す。
また、セット機器５０Ｃからの検出信号と、ＡＣアダプタ１０Ｃ側で取得した検出信号の何れか一方で制御を行わせるようにするには、上記のような設定電圧や設定電流によるもののほか、図６に示すように、信号検出回路２０でセット機器５０Ｃからの検出信号の有無を検出し、切替回路２１によりセット機器５０Cの検出信号が有ればそれを制御回路１２に出力し、無ければＡＣアダプタ１０Ｃ側の検出信号を制御回路１２へ出力するように構成しても良い。
【００８５】
このような構成によれば、回路構成がやや複雑になるものの、検出回路１４ｖ,１４ｉの設定電流や設定電圧の値が制約されないため、例えば、設定電圧V１やＩ１の値を小さくして、セット機器５０Ｃが接続されていないときにＡＣアダプタ１０の出力を小さくしたり、待機電力が一番低くなる電圧にしたりすることも可能となる。
【００８６】
［第５の実施の形態］
図７には、第５実施形態の充電システムの構成を示すブロック図である。
第５実施形態の充電システムは、ＡＣアダプタ１０Ｄは上記の図６の構成と同様のものであり、セット機器５０Ｄの構成を異ならせたものである。
【００８７】
この実施形態のセット機器５０Ｄには、何らかの異常により充電時の電圧が制限電圧を上回ったときに、２次電池Ｅ２への電源入力を遮断する保護用スイッチＳＷ１を設けたものである。さらに、この保護用スイッチＳＷ１の両端側にそれぞれ電圧検出回路５１ｅ，５１ｆを設けて、これらの出力を選択的に切り替えてＡＣアダプタ１０Ｄへ出力するようにしたものである。
【００８８】
図８には、電圧検出回路５１ｆと異常電圧検出回路５５の具体的な回路の一例を、図９には、異常電圧検出回路５５の検出動作を説明する特性グラフを示す。
保護用スイッチＳＷ１は、図９に示すように、例えば、２次電池Ｅ２の入力電圧が設定電圧ＶｚよりΔＶ以上高い電圧になった場合に、オフ動作される。詳細には、異常電圧検出回路５５が、電圧検出回路５１ｆの検出信号Ｓ１からΔＶ以上高い電圧になったことを検出し、その検出出力Ｓ２に基づき停止回路５６が動作停止信号を出力して制御回路５７が保護用スイッチＳＷ１をオフ動作される。
【００８９】
異常電圧検出回路５５は、例えば、図８に示すように、電圧検出回路５１ｆの出力がツェナーダイオードＺＤ１のツェナー電圧を超えるた場合にそれを検出して上記の異常値と判別する構成とすることが出来る。
【００９０】
この実施形態において、切替回路５８は、停止回路５６からの信号に基づき、保護用スイッチＳＷ１がオンのときには２次電池Ｅ２側の電圧検出回路５１ｆの出力を選択し、保護用スイッチＳＷ１がオフのときには入力端子側の電圧検出回路５１ｅの出力を選択してＡＣアダプタ１０Ｄへ出力するようになっている。
【００９１】
このような検出信号の切り替えにより、充電時には２次電池Ｅ２の直前の電圧を検出して正確な充電制御を行うことが出来るとともに、保護用スイッチＳＷ１が働いて充電が遮断された場合には、その手前の電圧検出回路５１ｅの検出信号に切り替えられるので、検出信号なしでＡＣアダプタ１０Ｄの出力電圧が異常上昇してしまうような不具合を回避することが出来る。
【００９２】
なお、保護用スイッチＳＷのオン・オフ制御は、上記の例に限られず、例えば、図７に点線で示すように、ＡＣアダプタ１０Ｄ側から過電圧が印加された場合に、電圧検出回路５１ｅによりそれを検出させて停止回路５６を動作させるようにしても良い。
【００９３】
［第６の実施の形態］
図１０は、第６実施形態の充電システムの構成を示すブロック図である。
第６実施形態の充電システムは、第５実施形態のように電源ライン上に保護用スイッチＳＷ１を直列に接続するとともに、その両端側に電圧検出回路を設けてその検出信号を選択的に切り替えてＡＣアダプタ１０Ｅへ出力する構成を有するものである。さらに、この実施形態では、保護用スイッチＳＷ１が働いてオフにされたときに、２次電池Ｅ２から電流が逆流しないように、ＡＣアダプタ１０Ｅの出力電圧を２次電池Ｅ２の電池電圧よりも少し大きな電圧に制御するようにしたものである。
【００９４】
この実施形態では、保護用スイッチＳＷ１は、何らかの異常により入力電圧や入力電流が規定値を上回った場合や、２次電池Ｅ２が満充電となった場合に、オフされて２次電池Ｅ２への電源入力を遮断するようにしている。例えば、電圧検出回路５９により保護用スイッチＳＷ１の両端子間の電圧を検出して、過電流入力や過電圧入力を検出するようにしたり、電流検出回路６０により充電電流が小さくなって満充電を検出した場合に、これらの検出に基づき停止回路５６が停止動作を行うように構成する。
【００９５】
さらに、この実施形態では、保護用スイッチＳＷ１の前段の電圧検出回路５１ｇにおいて、検出電圧と比較する基準電圧Ｖｒｅｆを２次電池Ｅ２の電池電圧から取得するようにしている。それにより、検出電圧が２次電池Ｅ２の電池電圧を所定量上回ったときに検出信号が上昇するようになっている。
【００９６】
切替回路５８による検出信号の切り替えは、第５実施形態の場合と同様で、保護用スイッチＳＷ１がオンのときは２次電池Ｅ２の側の検出信号が選択され、保護用スイッチＳＷ１が働いてオフになったときは入力端子側の検出信号が選択されるように行われる。
【００９７】
図１１には、この充電システムにおけるＡＣアダプタの出力特性グラフを示す。
上記のような構成によれば、保護用スイッチＳＷ１が働いてオフとなったときには、２次電池Ｅ２の電池電圧を基準電圧Ｖｒｅｆとした電圧検出回路５１ｇの出力がＡＣアダプタ側に出力されるので、ＡＣアダプタからの入力電圧は電池電圧よりΔＶだけ高い電圧となって何らかの電流経路で２次電池Ｅ２からＡＣアダプタ１０Ｅ側に電流が逆流するのを防ぐことが出来る。２次電池Ｅ２が満充電で保護用スイッチＳＷ１が働いた場合には、図１１に示すように、入力電圧は満充電電圧よりも少し高い電圧となって、電流の逆流を防ぐことが出来る。その他、図１１に示すように、保護用スイッチＳＷ１が働いたときに出力電流の制限値が小さくなるように制御しても良い。
【００９８】
［第７の実施の形態］
図１２は、第７実施形態の充電システムの構成を示すブロック図、図１３は、２次電池の充電特性を示す図である。
第７実施形態の充電システムは、上記の各実施形態のようにセット機器５０Ｆから検出信号をＡＣアダプタ１０Ｆ側に送り、この検出信号に基づきＡＣアダプタ１０Ｆの制御回路１２の出力制御が行われる構成は同様である。第７実施形態では、このような構成に加えて、過充電防止のためにＡＣアダプタ１０Ｆ側にタイマー機能を付加したものである。
【００９９】
このＡＣアダプタ１０Ｆは、例えばリチウムイオン電池などの２次電池Ｅ２を対象として、電池電圧が非常に低いときに小さな充電電流で充電を行うプリ充電モード（図１３参照）、通常の充電電流で充電を行う定電流モード、満充電電圧になってから充電電流が小さくなるまで定電圧で充電を行う定電圧モード、の各充電モードの経過時間Ｔ１，Ｔ２，Ｔ３を計時して、同一の充電モードが所定の時間を超えて続けられていないか監視し、時間を超えたと判断した場合に、電力の出力を停止したり、小電力出力に切り替えたりするものである。
【０１００】
そのため、このＡＣアダプタ１０Ｆには、現在の充電モードを検出するために、出力電圧を検出する電圧検出回路２２と、出力電流を検出する電流検出回路２３と、これらの検出値から充電モードを判別する充電モード検出回路２４を備えている。リチウムイオン電池の充電特性は、図１３のように電流や電圧が変化することが分かっており、充電モード検出回路２４は、出力電圧の大きさや変化量、出力電流の大きさや変化量を、標準的な充電特性線の変化量と比較させることで、何れの充電モードにあるかを識別することが可能である。
【０１０１】
また、ＡＣアダプタ１０Ｆには、上記の計時を行うために、タイマー回路２７と、タイマー回路２７の計時をスタートさせたり計時を停止してリセットさせる動作回路２５および停止回路２６を備えている。
【０１０２】
タイマー回路２７は、各充電モードの経過時間の計時を行い、各充電モードごとに予め定められている所定時間を経過したらタイムアップ信号を出力するように構成されている。動作回路２５は何れの充電モードの計時を開始させるかを示す信号をタイマー回路２７へ出力し、停止回路２６は充電モードの切り替り時にタイマーの計時を停止・リセットさせる。
【０１０３】
そして、タイマー回路２７からタイムアップ信号が動作停止回路２８に入力されると、ＡＣ電源が抜かれてリセットがかかるまで動作停止回路２８から制御回路１２に出力を停止させる制御信号が出力され、ＡＣアダプタ１０Ｆの出力が停止されるようになっている。或いは、動作停止回路２８の替わりに小電力動作回路を設け、小電力動作回路からの制御信号により制御回路１２が小電力の出力制御を行わせるようにしても良い。
【０１０４】
また、このＡＣアダプタ１０Ｆでは、ＡＣアダプタ１０Ｆがセット機器５０Ｆに接続されたこと、並びに、接続を外されたことを信号検出回路２９により検出し、接続や接続を外されたことを検出した場合に解除回路３０によりタイマー回路２７の動作が初期化されるように構成されている。
【０１０５】
このような構成によれば、２次電池Ｅ２の充電中、各充電モードの動作時間が計時され、例えば電池が劣化して正常な充電が行えず同一の充電モードが長い時間続いてしまったような場合に、それがタイマー回路２７により検出されてＡＣアダプタ１０Ｆの出力が停止したり小電力の出力に変更されるようになっている。
【０１０６】
なお、上記実施形態では、各充電モードごとにその計時とオーバータイムの監視とを行っているが、各充電モードの時間を総合した全充電時間の計時とそのオーバータイムの監視とを行うようにしても良いし、これらの両方を行うようにしても良い。
【０１０７】
［第８の実施の形態］
図１４は、第８実施形態の充電システムの構成を示すブロック図、図１５は、この充電システムによる２次電池Ｅ２の充電特性を示すグラフである。
第８実施形態の充電システムは、例えば、ＡＣアダプタ１０Ｇのコネクタ部分、或いは、セット機器５０Ｇを載せて充電を行う充電台などに、充電中や充電完了の状態を例えばＬＥＤや簡単な表示パネルなどの表示回路３１により表示させる機能を加えたものである。
【０１０８】
また、充電中や充電完了の状態は、セット機器５０Ｇで検出し、それに応じた表示信号を、充電制御用の検出信号の信号線を流用して、セット機器５０ＧからＡＣアダプタ１０Ｇ側へ送るように構成したものである。
【０１０９】
セット機器５０Ｇには、充電制御用に電圧や電流の検出を行って充電制御用の検出信号を出力する充電検出回路５１ｈや、表示信号の送信時に２次電池Ｅ２への電源入力を遮断させる保護用スイッチＳＷ１と、この保護用スイッチＳＷ１を働かせる充電停止回路５６や制御回路５７と、充電電流から満充電になったことを検出する充電完了検出回路６１と、充電状態を表わす表示信号の出力と充電制御用の検出信号の出力とを切り替える表示信号出力＆切替回路６２等が設けられている。
【０１１０】
充電検出回路５１ｈは、充電制御用の検出信号に加え、充電電圧と充電電流とから２次電池の充電量を検出してそれを表した充電量検出信号を表示信号出力＆切替回路６２に出力する。
【０１１１】
充電完了検出回路６１は、充電電流が所定値を下回った場合に満充電と判断して充電完了を示す信号を表示信号出力＆切替回路６２に出力する。これは、リチウムイオン電池などの充電において、図１５に示すように定電圧モードの充電で電流値が小さくなった場合に満充電とすることを利用して満充電を検出するものである。また、充電完了検出回路６１にタイマーを搭載し、充電電流が所定値を下回ってから所定時間Ｔ５だけ充電を継続して、所定時間経過後にタイマー信号により充電完了と判断するようにしても良い。この方式の方が充電量を少し多くすることが出来る。
【０１１２】
表示信号出力＆切替回路６２は、通常時は充電検出回路５１ｈからの充電制御用の検出信号をＡＣアダプタ１０Ｇ側に出力する。一方、充電完了信号が入力された場合や、充電容量信号が所定のしきい値を超えた場合など、２次電池Ｅ２の充電状態が変化した場合には、その充電状態に応じた表示信号をＡＣアダプタ１０Ｇに出力するようになっている。表示信号は例えば所定周波数で変調した信号としたり、デジタル信号とすることで、充電制御用の検出信号と識別可能なように構成する。
【０１１３】
また、ＡＣアダプタ１０Ｇには、制御信号線から制御用の検出信号が入力されているか否かを検出する制御信号検出回路３２と、制御信号線から表示信号が入力された場合に表示信号を検出・復調して表示回路３１へ出力する表示信号検出回路３３と、セット機器５０Ｇの検出信号が停止したとき用にダミーの検出信号を生成するための電圧・電流検出回路３５と、制御用の検出信号が入力されている場合には制御信号線の信号を制御回路１２に出力し検出信号の入力がない場合に上記のダミーの検出信号を制御回路１２に出力する切替回路３４等が設けられている。
【０１１４】
図１６には、この充電システムの動作の一例を説明するフローチャートを示す。
上記のように構成された充電システムによれば、充電容量信号により充電率が例えば３０％、６０％、９０％を超えた場合や充電完了信号がアサートしてことが検出されたら（ステップＪ１）、表示信号出力＆切替回路６２が動作して保護用スイッチＳＷ１をオフにするとともに（ステップＪ２）、ＡＣアダプタ１０Ｇ側への充電制御用検出信号の出力を停止する（ステップＪ３）。
【０１１５】
ＡＣアダプタ１０Ｇ側では、検出信号の入力が停止されたことで、それを制御信号検出回路３２が検出し、切替回路３４の選択を検出回路３５の信号に切り替える（ステップＪ４）。それにより、ＡＣアダプタ１０Ｇの出力が所定の電圧に制御され、検出信号なしで異常上昇することが回避される。
【０１１６】
また、同時に、表示信号出力＆切替回路６２から充電状態の切り替りに応じた表示信号が発信され（ステップＪ５）、それが表示信号検出回路３３で受信されて表示回路３１の表示形態が変化する（ステップＪ６）。例えば、表示色や点滅速度などが変化される。また、表示パネルに文字表示などを行わせることも可能である。
【０１１７】
次いで、表示信号出力＆切替回路６２の表示信号の発信が停止され（ステップＪ７）、ＡＣアダプタ１０Ｇ側への信号出力を充電検出回路５１ｈからの検出信号に切り替える（ステップＪ８）。そして、制御信号検出回路３２がそれを検出し、切替回路３４の選択をセット機器５０Ｇから入力された検出信号に切り替える（ステップＪ９）。それと同時に、セット機器５０Ｇの保護用スイッチＳＷ１がオンされて（ステップＪ１０）、次の充電状態の変化まで充電動作が続けられる（ステップＪ１１）。
【０１１８】
以上のように、この実施の形態の充電システムによれば、セット機器５０Ｇ側での電圧電流検出によりＡＣアダプタ１０Ｇの出力制御を行うことが出来るとともに、その制御信号線を流用してセット機器５０Ｇから充電状態を表わす表示信号を出力することで、ＡＣアダプタ１０Ｇ側で充電状態の表示出力を行うことが出来るという効果が得られる。
【０１１９】
［第９の実施の形態］
図１７は、第９実施形態の充電システムの構成を示すブロック図である。
第９実施形態の充電システムは、例えば、セット機器５０Ｈが非常に小型のものであったりＬＳＩなどを搭載できず、セット機器５０Ｈ側で充電状態の判別処理ができない場合に、ＡＣアダプタ１０Ｈで充電状態の検出や充電状態に応じた表示信号の生成・出力を行い、セット機器５０Ｈでこの表示信号に基づく表示出力を行うようにしたものである。
【０１２０】
そのため、この実施形態のＡＣアダプタ１０Ｈには、出力電圧と出力電流とから２次電池Ｅ２の充電状態を算出すべく、電圧検出回路３６と、電流検出回路３７と、これらの検出値から充電容量を算出する演算回路３８とが設けられている。また、充電状態の切り替り時に制御信号線に表示信号を出力する通信回路３９と、表示信号の出力時にセット機器５０Ｈ側で充電動作を停止させるために検出信号の切替を行う切替回路４３と、セット機器５０Ｈ側の充電動作を停止させたり再開させるためにダミーの検出信号を生成する電圧検出回路４０、４１と、一方の電圧検出回路４１の動作を所定の極短い時間で停止させる時定数回路４２とが設けられている。
【０１２１】
また、セット機器５０Ｈには、２次電池Ｅ２や、充電電圧を検出してＡＣアダプタ１０Ｈへ検出信号を出力する電圧検出回路５１ｋに加えて、ＬＥＤなどの表示回路６３と、制御信号線を介して表示信号を受信する受信回路６４と、表示信号の入力時に充電動作を中止するスイッチ回路ＳＷ２と、表示信号の受信タイミングが来たことを入力電圧により検出する電圧検出回路６５と、表示信号の受信期間にスイッチ回路ＳＷ２をオフさせる充電停止回路６６と、スイッチ回路ＳＷ２を駆動する制御回路６７と、スイッチ回路ＳＷ２を一次的にレギュレータ動作させる定電圧制御回路６９とが設けられている。
【０１２２】
上記の構成のうち、ＡＣアダプタ１０Ｈの２つの電圧検出回路４０，４１と、セット機器５０Ｈの２つの電圧検出回路５１ｋ，６５には、それぞれ設定電圧Ｖａ〜Ｖｄが設定され、各々の設定電圧Ｖａ〜Ｖｄを検出電圧が下回っていれば検出出力を基準値（例えば電圧値ゼロ）に維持し、検出電圧が設定電圧を上回ったら検出出力を上昇させるように構成されている。
【０１２３】
また、各設定電圧は、Ｖａ＞Ｖｄ、Ｖｄ＞Ｖｃ、Ｖｄ＞Ｖｂ、Ｖｃは２次電池Ｅ２の満充電電圧となるように設定されている。
このような構成によれば、次のような充電動作と表示信号の送受信処理が行われる。
すなわち、通常の充電時には、セット機器５０Ｈの電圧検出回路５１ｋ（設定電圧Ｖｃ）と、図示略の電流検出回路の各検出出力の和算信号が制御回路１２に入力されて、ＡＣアダプタ１０Ｈの出力制御が行われ、２次電池Ｅ２の定電流定電圧充電が行われる。電圧検出回路６５の設定電圧Ｖｄは、設定電圧Ｖｃより大きいので、この間、電圧検出回路６５（設定電圧Ｖｄ）の出力はネゲートのままとなる。
【０１２４】
充電が進んで２次電池Ｅ２の充電率が一定の値を超えたときや充電完了となった場合には、それらがＡＣアダプタ１０Ｈの演算回路３８により算出され、通信回路３９に表示信号の出力コマンドが発せられるとともに、切替回路４３の選択がセット機器５０Ｈ側の検出信号（設定電圧Ｖｃ）から電圧検出回路４０（設定電圧Ｖａ）の検出信号に切り替えられる。
【０１２５】
そして、この検出信号の切り替えにより、設定電圧が高い電圧Ｖａとなるため、ＡＣアダプタ１０Ｈの出力電圧が上昇する。さらに、この上昇により、セット機器５０Ｈの電圧検出回路（設定電圧Ｖｄ）の検出信号がアサートして、表示信号の受信期間であることが伝えられる。そして、このアサート信号によりスイッチ回路ＳＷ２がオフされて、充電が停止される。充電が停止されると電圧検出回路５１ｋ（設定電圧Ｖｃ）の出力もなくなり、制御信号線の電圧も基準電圧に落とされる。
【０１２６】
そして、この充電停止期間に、ＡＣアダプタ１０Ｈの通信回路３９からセット機器５０Ｈの受信回路６４へ表示信号が送られて、それに基づき表示回路６３の表示態様が充電状態に合わせて変更される。
【０１２７】
次いで、制御信号線の電圧が基準電圧に落ちたことにより、切替回路４３が検出信号の選択を切り替えて電圧検出回路４１（設定電圧Ｖｂ）の出力に切り替える。すると、この設定電圧Ｖｂは低く設定されているので、ＡＣアダプタ１０Ｈの出力電圧が低下し、電圧検出回路６５（設定電圧Ｖｄ）の出力がネゲートする。そして、これにより、表示信号の通信期間が終了したことが伝えられる。
ここで、充電の停止時間Ｔ２０と表示信号の送受信時間Ｔ１０とは、図１８に示すように、"Ｔ１０＜Ｔ２０"になるようにタイミング設計が行われる。
【０１２８】
さらに、上記のネゲート信号により、スイッチ回路ＳＷ２がオンされて、２次電池Ｅ２への電源入力が再開され、それによりセット機器５０Ｈから出力制御用の検出信号もＡＣアダプタ１０Ｈ側へ出力される。また、低い設定電圧Ｖｂの電圧検出回路４１の動作は時定数回路４２により、短時間で停止され、制御回路１２の制御にはセット機器５０Ｈ側からの検出信号が使用されて、再び、通常の充電状態に戻される。
【０１２９】
なお、セット機器５０Ｈに高電圧が入力されたときに、定電圧制御回路６９を働かせてスイッチ回路ＳＷ２をレギュレータ動作させることで、その期間にも充電を継続させるようにすることも出来る。
【０１３０】
以上のように、この実施形態の充電システムによれば、表示信号を制御信号線を用いてＡＣアダプタ１０Ｈからセット機器５０Ｈに送ることが出来るので、ＡＣアダプタ１０Ｈ側にマイクロコンピュータなどのＬＳＩを搭載し、セット機器５０Ｈに多くの回路を搭載しないようなシステムであっても、セット機器５０Ｈ側で充電状態に応じた表示出力を行わせることが出来る。
【０１３１】
なお、上記の説明では２次電池Ｅ２を有する電子回路装置をセット機器５０Ｈと表しているが、この電子回路装置を、例えば、２次電池Ｅ２と充電制御用の回路とをパッケージングしてなる電池パックとするような場合に、電池パックにはＬＳＩ等を搭載できないことから本実施形態は特に有用なものとなる。
【０１３２】
［第１０の実施の形態］
図１９は、第１０実施形態の充電システムの構成を示すブロック図である。
第１０実施形態の充電システムは、例えば、ＡＣアダプタ１０Ｉをセット機器５０Ｉと接続したまま、ＡＣアダプタ１０Ｉの電源プラグをコンセントから抜いたような場合に、セット機器５０ＩからＡＣアダプタ１０Ｉ側に電流の逆流が生じないように構成したものである。
【０１３３】
この実施形態のセット機器５０Ｉには、ＡＣアダプタ１０Ｉの出力制御用の検出信号を出力するための電圧検出回路５１ｖ、電流検出回路５１ｉ、および和算回路５４に加えて、逆流電流を防止するため入力端子と２次電池Ｅ２との間に直列接続されたスイッチ回路ＳＷ３と、逆流の可能性のある状態を検出するための信号検出回路７０と、スイッチオフを解除する再起動状態を検出するための電圧検出回路７１と、スイッチ回路ＳＷ３のオン・オフ制御を行うための停止回路７２、制御回路７３、再起動信号出力回路７４、および停止解除回路７５が設けられている。
【０１３４】
信号検出回路７０は、ＡＣアダプタ１０Ｉへ出力する検出信号の状態を監視して、逆流の可能性のある状態を検出するものである。通常時は、検出信号が基準電圧より少し高くされてＡＣアダプタ１０Ｉの出力制御が行われているが、ＡＣアダプタ１０Ｉの出力が無くなった場合などは、検出信号は基準電圧まで低下するので、検出信号を監視することで、この状態を検出することが出来る。
そして、このような状態の検出により、停止回路７２に動作信号が出力されてスイッチ回路ＳＷ３がオフされ、電流の逆流が防止される。
【０１３５】
また、スイッチ回路ＳＷ３がオフされた状態で、ＡＣアダプタ１０Ｉの動作が復活した場合には、セット機器５０Ｉの入力電圧が上昇するので、電圧検出回路７１がそれを検出して再起動信号出力回路７４に再起動信号を出力させる。それにより、停止解除回路７５が停止回路７２の動作を解除して、スイッチ回路ＳＷ３がオンされ、元の充電状態を再開させることが出来る。
このような構成により、ＡＣアダプタ１０Ｉが電源コンセントから外されたり、異常が生じた場合でも、セット機器５０Ｉ側からの電流の逆流を防ぐことが出来る。
【０１３６】
［第１１の実施の形態］
図２０は、第１１実施形態の充電システムの構成を示すブロック図である。
第１１実施形態の充電システムは、種類や容量が異なり充電特性の異なる複数の２次電池Ｅ２Ａ，Ｅ２Ｂを搭載可能なセット機器５０Ｊに対して、１台のＡＣアダプタ１０Ｊによりこれら複数の２次電池Ｅ２Ａ，Ｅ２Ｂの充電を行えるようにしたものである。
この実施形態においてＡＣアダプタ１０Ｊは、上述した各実施形態のものと同様の構成を適用できる。
【０１３７】
セット機器５０Ｊは、複数の２次電池Ｅ２Ａ，Ｅ２Ｂと、これらの充電電圧や充電電流を検出する充電検出回路５１Ａ，５１Ｂとを、複数のスイッチ回路７７Ａ，７７Ｂを介して並列接続したものである。さらに、複数のスイッチ回路７７Ａ，７７Ｂのうち何れか１つを選択的にオンさせる制御回路７８と、複数の充電検出回路５１Ａ，５１Ｂのうち何れか１つの検出信号を選択的にＡＣアダプタ１０Ｊ側に出力する切替回路７９と、これら制御回路７８と切替回路７９に互いに対応した切替を行わせる切替信号受信回路８０とを備えている。
【０１３８】
２次電池Ｅ２Ａ，Ｅ２Ｂは、例えば、リチウムイオン電池とニッケル水素電池などである。また容量の異なる複数のリチウムイオン電池としても良い。また、同一種類、同一容量の電池とすることも出来る。
【０１３９】
複数の充電検出回路５１Ａ，５１Ｂには、対応する２次電池Ｅ２Ａ，Ｅ２Ｂに適した設定電流や設定電圧が設定されており、これらの検出信号により各２次電池Ｅ２Ａ，Ｅ２Ｂに適した充電電圧および充電電流が供給されるようになっている。
【０１４０】
また、切替信号受信回路８０には、電池ホルダにて２次電池のセット／非セットを検出する電池切替メカスイッチ８１から、電池がセットされている方を示す信号が入力されたり、或いは、各電池の充電状態を管理するマイクロコンピュータ８２から満充電以下で充電を行うべき電池を示す切替信号が入力され、それにより、複数の２次電池Ｅ２Ａ，Ｅ２Ｂのうち何れかを充電対象として選択するようになっている。
【０１４１】
このような充電システムにより、複数の２次電池Ｅ２Ａ，Ｅ２Ｂが搭載可能なセット機器５０Ｊであっても、それらを１本ずつ充電処理を行って、全ての２次電池Ｅ２Ａ、Ｅ２Ｂの充電を行うことが出来る。
【０１４２】
以上、本発明の最適な実施形態を説明してきたが、本発明は、上記第１〜第１１の実施形態に限られるものでなく、発明の趣旨を逸脱しない範囲で適宜変更可能である。例えば、充電用電源装置としてＡＣアダプタを例示したが、ＡＣ入力の電源装置に制限されるものでもない。また、充電検出回路についても、検出電圧や検出電流が設定値より低いときにハイレベルの信号を出力し、設定値より高くなったときにロウレベルの信号を出力するように構成することも出来る。その場合、ＳＷ電源回路の制御回路を検出信号が無いときには出力を低くし、検出信号が高くなった場合に出力を高くするように構成すればよい。また、第１〜第１１実施形態の各特徴的な構成を適宜複合させて１つの充電システムに適用しても良い。
【図面の簡単な説明】
【０１４３】
【図１】本発明の第１実施形態の充電システムの基本構成を示したブロック図である。
【図２】図１の充電検出回路の出力特性を示すグラフである。
【図３】第２実施形態の充電システムの基本構成を示すブロック図である。
【図４】第３実施形態の充電システムの構成を示すブロック図である。
【図５】第４実施形態の充電システムの構成を示すブロック図である。
【図６】第４実施形態において検出信号を制御回路へ出力するその他の構成例を示すブロック図を示す。
【図７】第５実施形態の充電システムの構成を示すブロック図である。
【図８】図７の電圧検出回路と異常電圧検出回路の具体的な構成を示す回路図である。
【図９】図８の異常電圧検出回路の検出動作を説明する特性グラフである。
【図１０】第６実施形態の充電システムの構成を示すブロック図である。
【図１１】図１０のＡＣアダプタの出力特性を示すグラフである。
【図１２】第７実施形態の充電システムの構成を示すブロック図である。
【図１３】２次電池の充電特性を示す図である。
【図１４】第８実施形態の充電システムの構成を示すブロック図である。
【図１５】図１４の充電システムの充電動作を示す特性グラフである。
【図１６】図１４の充電システムの動作例を説明するフローチャートである。
【図１７】第９実施形態の充電システムの構成を示すブロック図である。
【図１８】図１７の充電システムにおいて充電の停止時間と表示信号の送受信時間とを示すタイミングチャートである。
【図１９】第１０実施形態の充電システムの構成を示すブロック図である。
【図２０】第１１実施形態の充電システムの構成を示すブロック図である。
【符号の説明】
【０１４４】
１０，１０Ａ〜１０Ｊ  ＡＣアダプタ
１１    ＳＷ電源回路
１２    制御回路
１３    信号受信回路
１４    ＡＣアダプタ側の検出回路
１４ｉ  電流検出回路
１４ｖ  電圧検出回路
１５ａ，１５ｂ  複数の電流検出回路
１６    電圧検出回路
１７    切替回路
１８，１９  和算回路
２０    信号検出回路
２１    切替回路
２４    充電モード検出回路
２７    タイマー回路
２９    信号検出回路
３０    解除回路
３１    ＡＣアダプタ側の表示回路
３３    表示信号検出回路
３８    充電容量演算回路
３９    通信回路
５０，５０Ａ〜５０Ｊ  セット機器
Ｅ２    ２次電池
５１    充電検出回路
５１ｉ  電流検出回路
５１ｖ  電圧検出回路
５１ａ，５１ｂ  複数の電圧検出回路
ＳＷ１  保護用スイッチ
５１ｅ，５１ｆ  スイッチ前後の電圧検出回路
５１ｇ  電池電圧以上に出力制御するための電圧検出回路
５２    信号発信回路
５３    切替回路
５４    和算回路
６１    充電完了検出回路
６２    表示信号出力＆切替回路
６３    セット機器側の表示回路
６４    表示信号受信回路
ＳＷ２  充電一次停止用のスイッチ回路
７２    停止回路
ＳＷ３  逆流防止用のスイッチ回路
７４    再起動信号出力回路
７５    停止解除回路
Ｅ２Ａ，Ｅ２Ｂ  複数の２次電池
５１Ａ，５１Ｂ  複数の充電検出回路
７７Ａ，７７Ｂ  複数のスイッチ回路
８０    切替信号受信回路
８１    電池切替メカスイッチ
８２    充電管理用のマイクロコンピュータ
【図１】
2008061343.tif 000003
【図２】
2008061343.tif 000004
【図３】
2008061343.tif 000005
【図４】
2008061343.tif 000006
【図５】
2008061343.tif 000007
【図６】
2008061343.tif 000008
【図７】
2008061343.tif 000009
【図８】
2008061343.tif 000010
【図９】
2008061343.tif 000011
【図１０】
2008061343.tif 000012
【図１１】
2008061343.tif 000013
【図１２】
2008061343.tif 000014
【図１３】
2008061343.tif 000015
【図１４】
2008061343.tif 000016
【図１５】
2008061343.tif 000017
【図１６】
2008061343.tif 000018
【図１７】
2008061343.tif 000019
【図１８】
2008061343.tif 000020
【図１９】
2008061343.tif 000021
【図２０】
2008061343.tif 000022